(57)【要約】      （修正有）【課題】  加圧加熱調理容器の蓋のロックの操作をワンタッチ式にすること。【解決手段】  加圧加熱調理容器Ａにおいて、蓋体４の表面４ａに、金属製のフレ−ム５を一体化し、これらのフレ−ム５の中央に位置する支点６に設けたレバ−ハンドル体７の押し下げａと、持ち上げｂとの回動に同期回動可能に設けたリンク体８と、且つそれに連結してスライド連動するロック体９が、その端部がコの字形状９ａで，蓋体４の縁と容器本体３の開口部３ａ縁の双方を密着抱き合わせ挟み込み自在で構成するロック体９に連係し、これらのレバ−ハンドル体７の押し下げａ回動によるロック体９の連動が、蓋体４の中央部にスライド移動することで、蓋体４と容器本体３とをロック体９のコの字形状９ａが挟み込みで、双方をロックし、且つレバ−ハンドル体７の持ち上げｂ回動によってロック体９が蓋体４の外方に向け移動しロックの解除を可能にした圧力調理容器の蓋ロック装置にする。【選択図】図１
2007283060.tif 000002
【特許請求の範囲】
【請求項１】
一般家庭で使用される安全弁（１）と圧力調整具（２）とを装備してなる加圧加熱調理容器（Ａ）において、容器本体（３）の開口部（３ａ）縁にパッキングを介して密閉式に開閉する蓋体（４）の表面（４ａ）に、金属製のフレ−ム（５）を一体化し、これらのフレ−ム（５）の中央に位置する支点（６）に設けたレバ−ハンドル体（７）の押し下げ（ａ）と、持ち上げ（ｂ）との回動に同期回動可能に設けたリンク体（８）と、且つそれに連結してスライド連動するロック体（９）が、その端部がコの字形状（９ａ）で，蓋体（４）の縁と容器本体（３）の開口部（３ａ）縁の双方を密着抱き合わせ挟み込み自在で構成するロック体（９）に連係し、これらのレバ−ハンドル体（７）の押し下げ（ａ）回動によるロック体（９）の連動が、蓋体（４）の中央部にスライド移動することで、蓋体（４）と容器本体（３）とをロック体（９）のコの字形状（９ａ）が挟み込みで、双方をロックし、且つレバ−ハンドル体（７）の持ち上げ（ｂ）回動によってロック体（９）が蓋体（４）の外方に向け移動しロックの解除を可能にしたことを特徴とする圧力調理容器の蓋ロック装置．
【請求項２】
前記するレバ−ハンドル体（７）の押し下げ（ａ）操作が、ロック体（９）のコの字形状（９ａ）での蓋体（４）と容器本体（３）との双方の挟み込みロックを解除し、且つレバ−ハンドル（７）の持ち上げ（ｂ）の操作が、蓋体（４）と容器本体（３）との双方の挟み込みロックを可能にしたことを特徴とする請求項１記載の圧力調理容器の蓋ロック装置。
【発明の詳細な説明】
【技術分野】
【０００１】  この発明は、一般家庭で使用する圧力加熱調理容器（圧力鍋）の蓋のロック装置に関するものである。
【背景技術】
【０００２】  この種の従来の技術として、一般家庭で使用する圧力鍋ＡＡの多くは図５で述べる様にフェノ−ル樹脂製の取っ手３０ｂ付きで成る食材を入れ調理するステンレス鋼の容器本体
2007283060.tif 000003
０を容器本体３００に被せて双方を密閉して、ロック及びロック解除する為の装置を具備する。【０００３】  これらの密閉のロック及びロック解除する為の装置の多くは，取っ手３０ｂに一体化で成る溝体３０ｃに、蓋体４００に一体化で成るロック体９００の両サイド９００ａがさし込み着脱自在で成る、回動式による取っ手バヨネット方式で、容器本体３００に蓋体４００が結合し密閉されてロックされる。【０００４】  そして，上記する蓋体４００には，容器本体３００の圧力を一定レベルに保ち，余分な蒸気を外に排出する為の圧力調整具２００と，それらの圧力調整具２００が正常に働かない時に作用して圧力を逃がす安全弁１００を設けての安全構成が一般的である。【０００５】  これらの構成でなる圧力鍋ＡＡは，家庭で使用するのに，容器本体３００に材料を入れ，調理に必要な水の分量や加熱時間，蒸らし時間を決めガス火を使って調理が行われ。
【発明の開示】
【発明が解決しようとする課題】
【０００６】  しかしながら上記する従来技術の場合は、容器本体３００に蓋体４００を被せてロックするのに，バヨネット方式の為、取っ手３０ｂの溝体３０にロック体９００の両サイドを差し込み、容器本体３００の取っ手３０ｂを持ち，ロック体９００や摘み９０ｂを片手で握って、時計方向に回わさなければならづ、且つ閉め方向に容器本体３００が付き回りするだけでなく，パッキングの弾発力が双方の滑り面に付加し、かなり大きな力が両手にかかり、蓋体４００の閉め方が不完全になり、正しくし閉められていないなどの課題がある。【０００７】  また容器本体３００に蓋体４００を被せてロックするのに，双方の接合部に設けたパッキングに押し圧が付加しながら左右に回す事で、回動摩擦でパッキングの滑り面の劣化や磨耗による破損が早いばかりでなく、これらの損失が強いては蓋体４００の周りから蒸気を洩らしてしまうなどの課題がある。
【課題を解決するための手段】
【０００８】この発明はかかる課題を解決する為に，請求項１での発明は、図１、図２、図３で述べるように、一般家庭で使用される安全弁１と圧力調整具２とを装備してなる加圧加熱調理容器Ａで、容器本体３の開口部３ａにパッキングを介して密閉式に開閉する蓋体４の表面４ａに、金属製のフレ−ム５を一体化し、これらのフレ−ム５の中央に位置する支点６に設けたレバ−ハンドル体７の押し下げａと、持ち仕上げｂとの回動に同期回動可能に設けたリンク体８を、それに連結してスライド連動するロック体９が，その端部がコの字形状９ａで、蓋体４の中央部にスライド移動することで、蓋体４と容器本体３とをロック体９のコの字形状９ａが挟み込みで、双方をロックし、且つレバ−ハンドル体７の持ち上げｂ回動によってロック体９が蓋体４の外方に向け移動しロックの解除を可能構成とする。【０００９】  次に請求項２での発明を図４で述べる様に、前記するレバ−ハンドル体７の押し下げ操作が、ロック体９のコの字形状９ａでの蓋体４と容器本体３との双方の挟み込みロックを解除し、且つレバ−ハンドル７の持ち上げｂの操作が、蓋体４と容器本体３との双方の挟み込みロック可能な構成とする。
【発明の効果】
【００１０】  本発明はは、上述の通り構成作用するので、次の優れた効果を奏する．即ち食材を容器本体に入れ蓋体を被せて其の蓋体のロックとロック解除の操作が、レバ−ハンドル体のワンタッチ操作の上げ下げで出来、蓋体を回動することがない圧力調理容器の蓋ロック装置を提供出来る。【００１１】  このように蓋体を回動することなくロックとロックの解除が出来るので容器本体の機密を作るのに装備するパッキングの部分的な劣化や磨耗で破損することのない圧力調理器の蓋ロック装置を提供出来る。【００１２】  また容器本体に蓋体を被せるのに、どこに被せても良い蓋体の被せ位置を特性する事のない圧力調理器の蓋ロック装置を提供出来る。
【考案を実施するための最良な形態】
【００１３】  以下に図示の実施例に基づいて本発明を更に詳細に説明する。即ち図１は本発明での第１実施例に基づく断面での側面図で、図２は其の平面図で、且つ図３は其の使用例での一部断面での側面図を示すが、一般家庭で使用される安全弁１と圧力調整具２とを装備し，これらの装備は蓋体４に設けられ，食材を入れる容器本体３にパッキングを介して密封式に被せられてロック装置を具備する加圧過熱調理容器（圧力鍋）Ａで、これらの蓋体４の新しい蓋ロック装置を提供するもので、従来での圧力鍋Ａでの蓋のロック機構は、前文で詳細に述べた様に、蓋を鍋の特定な位置にセットして蓋を回すバイヨネットを有するロックとロック解除の圧力鍋が支流であった．そしてこれらの容器本体３の容量ハ２，０リッタ−から７，０リッタ−といった具合に大小様様で、おのずから安全弁１や圧力調整具の調整おもりなどの定格は当然違う仕様で商品化される。
【００１４】  そしてこれらの圧力鍋はガス台などにかけ加熱されると極めて早く高温，高圧になり経済的に調理が出来，炊く、煮る、蒸す、といった具合に美味しい家庭の料理を作るのに重宝がられるが、蓋のロックとロック解除に難があり、蓋のロック装置がもとより切望されていた。
【００１５】  本発明は従来のバイヨネットロック方式を大幅な改良を具現化したもので、上下回動するレバ−ハンドル体７を蓋体４の表面中央に装備するが，これらのレバ−ハンドル体７は図１、図２、図３、のそれぞれの図で示す如く、レバ−ハンドル体７の回動軸となる支点６は蓋体４の表面４ａに一体化して設けた金属製の薄板状のフレ−ム５の中央に位置しコの字形状に折り曲げた支えに装備され、矢印方向に押し下げａと逆矢印方向の持ち上げｂを自在にしている。
【００１６】  そしてこれらのレバ−ハンドル体７の軸支する支点６面の両サイドに位置して、個別の金属製薄板状２個のそれぞれのリンク体８が遊合軸支で接続され、更にリンク体８はフレ−ム５の両端の底面にそれぞれ接合してスライド移動で出し入れ可能にした金属製薄板状のロック体９の端子をコの字形状に折り曲げた支えに軸支接続されてレバ−ハンドル体７に同期連動によってロック体９が蓋体４の中央に向けてそれぞれ出し入れ自在構成とする。
【００１７】  このように前記する蓋体４の中央に向けてそれぞれ出し入れ自在にレバ−ハンドル体７に同期連動するロック体９は、その端部が蓋体４の外周縁に沿って容器本体３に向けコの字形状にしたもので、これらのコの字形状は蓋体４の縁と容器本体３の縁の双方を密着抱き合わせ挟み込み自在形態でのロック体９の構成とする。
【００１９】  これらの蓋体４に一体化するレバ−ハンドル体７は、容器本体３に食材を入れた後にこれらを覆い被せるのに、レバ−ハンドル体７は矢印ｂ方向に持ち上げられる事でロック体９のコノ字形状９ａは、蓋体４外周縁と容器本体３との外周縁から離れた位置にセットされ、これらの蓋体４のロック解除の形態はレバ−ハンドル体７が蓋体４の中央に直立することで外観認識が出来るし、これらのレバ−ハンドル体７が矢印方向に押し下げａにてロックされたことの外観認識が容易である。
【００２０】  次に第ニ実施例について述べるに、図４で一部断面での側面図で示すようにレバ−ハンドル体７は矢印方向に押し下げａ形態に折り畳むことで蓋体４はロックの解除で、第一実施例の逆操作のレバ−ハンドル体７によってロック操作はレバ−ハンドル体７を矢印方向に持ち上げｂにてリンク体８の矢印方向えのリンク回動が、其れに連動する双方のロック体９が矢印方向にスライドしロック体９のコの字形状９ａが容器本体３の開口部３ａの外周折り曲げ部を挟み込蓋体４との密閉がおこなわれる。
【図面の簡単な説明】
【図１】    本発明に係わる第一実施例で断面での側面図である
【図２】    第一実施例での平面図である
【図３】    第一実施例で一部断面での側面図である
【図４】    本発明に係わる第二実施例で一部断面での側面図である
【図５】    従来技術での全体斜視図である
【符号の説明】
１，１００          安全弁
２，２００          圧力調整具
３，３００          容器本体
３ａ，３０ａ        開口部
３ｂ，３０ｂ        取っ手
３０ｃ              溝体
４、４００          蓋体
５                  フレ−ム
６                  支点
７                  レバ−ハンドル体
８                  リンク体
９，９００          ロック体
９ａ，９０ａ        コの字形状
９０ｂ              摘み
ａ                  押し下げ
ｂ                  持ち上げ
【図１】
2007283060.tif 000004
【図２】
2007283060.tif 000005
【図３】
2007283060.tif 000006
【図４】
2007283060.tif 000007
【図５】
2007283060.tif 000008